(57)【要約】【課題】床下地材の上に貼設する捨張り材と表面仕上げとの関連を確立させることで、床仕上げ材の遮音性能を効果的に発揮させる遮音床の施工法と遮音床を提供する。【解決手段】本発明による遮音床の施工法と遮音床１は、床スラブ２の上に配置した床下地材４の上に捨張り材５で支持される遮音床仕上げ材７を貼設しており、所定剛性値以上の捨張り材５に支持させて所望性能の遮音床仕上げ材を貼設し、捨張り材５の剛性値を７．２ｋｇ／ｍ２以上の面密度で確保することや捨張り材５を合板から構成してその剛性値を１２ｍｍ以上の板厚によって確保することを特徴としている。【選択図】  図２
2005054383.tif 000002
【特許請求の範囲】
【請求項１】
床スラブの上に配置した床下地材の上に捨張り材で支持される遮音床仕上げ材を貼設する遮音床の施工法であって、所定剛性値以上の捨張り材に支持させて所望性能の遮音床仕上げ材を貼設することを特徴とする遮音床の施工法。
【請求項２】
床スラブの上に配置した床下地材の上に捨張り材で支持される遮音床仕上げ材を貼設する遮音床であって、所定剛性値以上の捨張り材、該捨張り材に支持される所望性能の遮音床仕上げ材から成ることを特徴とする遮音床。
【請求項３】
捨張り材が、剛性値を７．２ｋｇ／ｍ２以上の面密度で確保されることを特徴とする請求項２に記載の遮音床。
【請求項４】
捨張り材が、厚さ１２ｍｍ以上の合板から構成されることを特徴とする請求項２又は３に記載の遮音床。
【請求項５】
床下地材が、間仕切壁に固着された際根太に突き付けられることを特徴とする請求項２乃至４のいずれかに記載の遮音床。
【発明の詳細な説明】
【０００１】
【発明の属する技術分野】
本発明は遮音床の施工法と遮音床に関し、特に床仕上げ材の遮音性能を確実に発揮させて所望の遮音特性を達成できる遮音床の施工法と遮音床に関する。
【０００２】
【従来の技術】
集合住宅や老健施設等において、防音性が必要な床仕上げとして一般的に採用されている工法の中には、発泡プラスチック材の上に床下地材を構成して表面仕上げ層を貼設したり、発泡プラスチック製床下地材の上に捨張り材合板と表面仕上げ層としての木質フローリングを貼設したりしているものがあるが、いずれの工法も軽量床衝撃音に対する防音性能が悪く、高度な性能を要求される物件には、適用できないのが現状であった。（例えば、特許文献１、２を参照）
【０００３】
さらに、スラブ上の根太に合板から成る荒床を施工し、その上に発泡プラスチック製床下地材を構成し、その上に形成した９ｍｍの合板からなる捨張り材の上に防音フローリング材もしくは緩衝材としての遮音シートと防音フローリング材とを併用した表面仕上げ材を貼設するものもバリアフリー住宅用の床構造として提案されている。
【０００４】
しかして、本工法も、表面仕上げ層として防音性を有する防音フローリング材や緩衝材付木質フローリング材を貼設しても、その防音効果が明確には峻別されては現れ難い状態にあり、表面仕上げ材の狙った効果が得られないといった問題があった。（例えば、特許文献３を参照）
【０００５】
【特許文献１】
実用新案登録第２５０９５７５号公報（第２頁右欄第２６行〜第３頁左欄第１５行、図１）
【特許文献２】
特開平２−４３４５９号公報（第３頁左欄第８行〜第５頁左欄第１行、図３）
【特許文献３】
特開２００２−８８９６１号公報（段落番号「０００５」〜「００１８」、図１）
【０００６】
上述したように、防音性が必要な床仕上げとしての従来工法は、軽量床衝撃音に対する防音性能が悪く、高度な性能を要求される物件には適用できない問題があり、特に、遮音性能を向上させる目的から施工する、表面仕上げ層として防音性を有する防音フローリング材や緩衝材付木質フローリング材の採用においては、その遮音効果を明確に峻別して現すことが出来ないという問題点を抱えていた。
【０００７】
即ち、図５に例示する遮音データは、捨張り材として厚さ９ｍｍの合板を採用した場合における、軽量床衝撃音遮断性能の実験室における測定結果であるが、実験の対象は、表面仕上げ層の一方が、測定値を●印で表示する防音フローリング材であり、他方は、測定値を○印で表示する遮音シートを用いた緩衝材付木質フローリング材であって、単体における両者の軽量床衝撃音遮断性能は、明らかに相違するものである。
【０００８】
しかるに、厚さ９ｍｍの合板から成る捨張り材に支持された状態では、１２５Ｈｚにおいてその差が見られるものの、軽量床衝撃音遮断性能を決定する周波数である２５０Ｈｚにおいては、○印の緩衝材付木質フローリング材が単体の遮音効果は上がっているにも係わらず、●印の防音フローリング材との間に差が殆ど見られないという測定値が提示されている。
【０００９】
以上のように、厚さ９ｍｍの合板から構成された捨張り材との関係において、遮音のための高級な表面仕上げ材を採用しても、その狙った効果が得られていないといった問題は、本来的な遮音対策としてコストが嵩むばかりで徒労に等しいものであることから、早急な解決策が嘱望されていた。
【００１０】
【発明が解決しようとする課題】
本発明は、上記の現状に鑑みてその解決のために提案するものであり、床下地材の上に貼設する捨張り材と表面仕上げとの関連を確立させることで、床仕上げ材の遮音性能を効果的に発揮させる遮音床の施工法と遮音床を提供している。
【００１１】
【課題を解決するための手段】
本発明による遮音床の施工法は、床スラブの上に配置した床下地材の上に捨張り材で支持される遮音床仕上げ材を貼設する遮音床の施工法において、所定剛性値以上の捨張り材に支持させて所望性能の遮音床仕上げ材を貼設することを特徴としており、床仕上げ材の遮音性能を有効に発揮させている。
【００１２】
本発明による遮音床は、床スラブの上に配置した床下地材の上に捨張り材で支持される遮音床仕上げ材を貼設する遮音床において、所定剛性値以上の捨張り材と、捨張り材に支持される所望性能の遮音床仕上げ材から成ることを基本にして、捨張り材の剛性値を７．２ｋｇ／ｍ２以上の面密度で確保したり、捨張り材を厚さ１２ｍｍ以上の合板から構成したり、床下地材を間仕切壁に固着された際根太に突き付けることを特徴としており、床仕上げ材の遮音性能を確立させている。
【００１３】
【発明の実施の形態】
本発明による遮音床の施工法は、床スラブの上に配置した床下地材の上に捨張り材で支持される遮音床仕上げ材を貼設する遮音床の施工法において、所定剛性値以上の捨張り材に支持させて所望性能の遮音床仕上げ材を貼設している。
以下に、本発明による遮音床の施工法の実施の形態を図面に基づいて詳細に説明する。
【００１４】
上述したように、従来から行われている遮音床の施工は、捨張り材で支持される遮音床仕上げ材から伝達されてくる軽量床衝撃音を、専ら床スラブとその上に接合材で結合配置されている床下地材もしくは桟木との間において遮断することに対策を講じてきたものであり、床スラブと接合材で結合する床下地材にエラスチックな発泡プラスチックを用いたり、床スラブの上にエラスチックな発泡プラスチックシートを敷設してから、その上に接合材で結合する床下地材を配置したりする等の施工を行ってきたが、本対策は、その実効性において目に見えるものが無く、特に遮音床仕上げ材に高性能の遮音特性を備えている材質のものを講じても、その遮音特性に比例した効果を発揮できないという無為な情況を呈していた。
【００１５】
そこで、本発明者らは、従来の対策に捉われることなく、床スラブ  と接合材で結合する床下地材とは離れた観点からの遮音探求を試みた結果として、捨張り材とこれに支持される遮音床仕上げ材との関連において、高性能の遮音床仕上げ材に遮音特性を有効に発揮させることの可能な解決点に想到するに至ったものである。
【００１６】
図１は、本発明による遮音床の施工法を適用した実施の形態を示す遮音床の平面図であり、図２は、壁際部における遮音床の断面図である。
図において、１は遮音床、２はスラブ、３はスラブ２の上に所定の間隔で配置される、レベル調整を兼ねたモルタル等から成る接合材、４は発泡プラスチック系床下地材である。
【００１７】
図１に見られるように、捨張り材５は、桟木６に所定のピッチで固定されており、その目地は、発泡プラスチック系床下地材４の目地と重ならないように配置されているので、床下地材４と捨張り材５は、その長辺方向が互いに直交するように配置されている。
【００１８】
又、図２に示す本実施の形態では、捨張り材５の上に緩衝材付木質フローリング材７を貼設しているが、本発明による施工法では、木質フローリング材７の防音効果を最高に得るために、緩衝材が有効に衝撃を吸収できるように捨張り材５の剛性を高めることで、クッション材として作用するように構成している。
【００１９】
即ち、本発明者らの探求によると、捨張り材５の剛性が貧弱である場合には、捨張り材５が緩衝材付木質フローリング材７と一緒に変位してしまうことが明らかになった。そして、捨張り材５が変形すると木質フローリング材７に付けている緩衝材が有効に働かなくなってその防音効果が少なくなってしまうと共に、変形する範囲が広がるために歩行感にも影響を及ぼす恐れがあるからである。
【００２０】
捨張り材５の剛性は、合板やパーティクルボードを使用する場合には、その厚さによって確立させることが出来る。即ち、本実施の形態では、後述する実験結果で示すように、捨張り材６の厚さを１２ｍｍにすることで緩衝材付木質フローリング材７の防音材としての効果を充分に発揮させられるからである。
【００２１】
又、捨張り材の剛性は、厚さによる確保だけでなく、材質の密度に厚さを掛けることで求まっている面密度によっても、これを確立させることが可能である。そこで、捨張り材の剛性と面密度との関係を、所望の剛性を確立させている厚さ１２ｍｍのパーティクルボードについて検討すると、パーティクルボードの密度が、７００ｋｇ／ｍ３〜９００ｋｇ／ｍ３であることから、その面密度は、８．４ｋｇ／ｍ２〜１０．８ｋｇ／ｍ２になる。同様に、厚さ１２ｍｍの合板についても、一般的な密度が６００ｋｇ／ｍ３として扱われているので、その面密度は７．２ｋｇ／ｍ２になる。
【００２２】
従って、合板やパーティクルボードもしくはそれ以外の材質からなる捨張り材であっては、単にその厚さによる規定だけでなく、面密度が、７．２ｋｇ／ｍ２以上のものであれば、所望の剛性を確立させることで貼設する遮音床仕上げ材の防音特性を効率良く発揮させることを可能にするものである。
【００２３】
次に、本発明による遮音床が、その捨張り材の剛性を所望の値に確立した場合に、その遮音特性が有効に機能する実態を以下の実験結果に基づいて説明する。
【００２４】
図３は、捨張り材として厚さ１２ｍｍの合板を採用した場合における、軽量床衝撃音遮断性能の実験室における測定結果であり、ＬＬの数値の大きくなっている方が、遮音特性を悪くしていることを示しているＬＬ５０、ＬＬ４５及びＬＬ４０の３種について、その測定結果を表示している。
【００２５】
図示のように、本実験における床衝撃音レベル低減量（ｄＢ）は、１２５Ｈｚの場合に、ＬＬ４０は１８、ＬＬ４５で１５、遮音性能の悪いＬＬ５０になると１０とレベル低減量（ｄＢ）の差が明確になっており、性能を決定する周波数である２５０においてもレベル低減量（ｄＢ）の差は明らかである。
【００２６】
上記の測定結果で明らかなように、本発明による遮音床は、第１に、個々単独における遮音性能が異なっているＬＬ５０、ＬＬ４５及びＬＬ４０の３種が、夫々の低減量（ｄＢ）を明確に峻別できるほど異なった遮断性能を示していることであり、第２に、軽量床衝撃音遮断性能が優れている遮音床仕上げ材は、遮断性能の低い遮音床仕上げ材に対して明らかに優位の測定結果を示していることである。
【００２７】
従って、上述した従来例のように捨張り材として厚さ９ｍｍの合板を採用した場合は、発明者らが探求したように捨張り材の剛性が貧弱であることで、遮音床仕上げ材と共に変形してしまうために、遮音床仕上げ材が有している防音効果を最高に得ることが出来なかったのに対して、本発明の実施の形態のように捨張り材として厚さ１２ｍｍ以上の合板を採用した場合には、捨張り材の剛性が変形を抑制することで遮音床仕上げ材が有している防音効果を最高に発揮させることが出来るものである。
【００２８】
以上のように、本発明による遮音床の施工法は、上記の実施の形態で詳細に説明したように構成されるので、軽量床衝撃音は、防音フローリング部等の遮音床仕上げ材で防音されることになり、遮音床仕上げ材の防音特性を的確に発揮させられると同時に、床スラブと接合材で結合する床下地材にエラスチックな発泡プラスチックを用いたり、床スラブの上にエラスチックな発泡プラスチックシートを敷設してから、その上に接合材で結合する床下地材を配置したりする等の高コストの構造を回避することを可能にするものであることから、遮音床の施工コストを低減すると共に工期を大幅に短縮できるものである。
【００２９】
次に、本発明による遮音床について説明する。
遮音床は、床スラブの上に配置した床下地材の上に捨張り材で支持される遮音床仕上げ材を貼設する遮音床において、所定剛性値以上の捨張り材と、捨張り材に支持される所望性能の遮音床仕上げ材から成ることを基本にして、捨張り材の剛性値を７．２ｋｇ／ｍ２以上の面密度で確保したり、捨張り材を厚さ１２ｍｍ以上の合板から構成したり、床下地材を間仕切壁に固着された際根太に突き付けることを特徴としており、床仕上げ材の遮音性能を確立させている。
【００３０】
以下に、本発明による遮音床の実施の形態を図面に基づいて説明するが、床スラブの上に配置した床下地材の上に捨張り材で支持される遮音床仕上げ材を貼設する遮音床において、所定剛性値以上の捨張り材と捨張り材に支持される所望性能の遮音床仕上げ材から構成する基本的な実施の形態と捨張り材の剛性値を７．２ｋｇ／ｍ２以上の面密度で確保したり、捨張り材を厚さ１２ｍｍ以上の合板から構成したりする点については、上記図１、２で示したものと同様であるので、その説明を省略する。
【００３１】
図４は、遮音床を所定剛性値以上の捨張り材と捨張り材に支持される所望性能の遮音床仕上げ材から構成する上記実施の形態に加えて、床下地材を間仕切壁に固着された際根太に突き付けることを特徴とする実施の形態を示す断面図（ａ）と床下地材を束と敷居等に固着された際根太に突き付ける他の実施の形態を示す断面図（ｂ）である。
【００３２】
図４（ａ）は、緩衝材付きの床仕上げ材の場合における壁際部の納まり図であり、本実施の形態では、発泡プラスチック系床下地材４の上に１２ｍｍ以上の捨張り材５を施工し、その上に緩衝材付木質フローリング材７を貼設している。
【００３３】
しかるに、本発明の遮音床における軽量床衝撃音は、上述したように緩衝材付木質フローリング材７で防音されることになるので、ゴム脚で支持する従来の乾式二重床とは異なって、壁際部８に際根太９を用いてもその遮音性能は変わらないものである。
【００３４】
即ち、本実施の形態では、壁際部８に配置した束１０によって支持された際根太９を設置しており、発泡プラスチック系床下地材４には、レベル調整を兼ねたモルタル等から成る接合材３を配置して、発泡プラスチック系床下地材４は、際根太９に突き付けとなるように配置されている。
【００３５】
又、壁際部８では、発泡プラスチック系床下地材４と捨張り材５の端部を内装壁１１に接しないように構成しており、発泡プラスチック系床下地材４の端部部分の緩衝層１２を除去した上で、際根太１３に配置している。
【００３６】
尚、幅木１４を設ける場合には、発泡プラスチック系床下地材４の表面から所定の隙間１５を空けて配置するように考慮しているが、この方が空けないよりも振動が伝わり難くなるからである。
【００３７】
図４（ｂ）は、緩衝材付きの床仕上げ材の場合における敷居等の開口部における納まり図であり、開口部１６は、敷居１７等と束１８とによって構成されており、束１０によって支持された際根太９が敷居１７等と束１８とに接して設置されている。
【００３８】
本実施の形態の場合も、発泡プラスチック系床下地材４の上に１２ｍｍ以上の捨張り材５を施工し、その上に緩衝材付木質フローリング材７を貼設しているので、遮音床における軽量床衝撃音は、上記実施の形態と同様に緩衝材付木質フローリング材７で防音されることから、発泡プラスチック系床下地材４には、レベル調整を兼ねたモルタル等から成る接合材３を配置して、発泡プラスチック系床下地材４は、束１０によって支持された際根太９に突き付けとなるように配置されている。
【００３９】
又、開口部１６では、捨張り材５の端部を敷居１７等に接しないように構成しており、発泡プラスチック系床下地材４の端部部分の緩衝層１２を除去した上で、床仕上げ材用の際根太１３に配置しており、床仕上げ材用の際根太１３は敷居１７等に接していないように構成している。
【００４０】
尚、遮音床における軽量床衝撃音は、緩衝材付木質フローリング材７によって防音されることから、緩衝材付木質フローリング材７の端部は、敷居１７等に接していてもかまわないものである。
【００４１】
以上のように、本発明による遮音床では、緩衝材付木質フローリング材７、緩衝層１２、捨張り材５及び発泡プラスチック系床下地材４を通じて伝播してくる軽量床衝撃音を、際根太９から内装壁１１に伝達させないように多くの遮音処置を講じる必要が無いので、遮音床を低コストで施工できるものである。
【００４２】
従って、上記各実施の形態の場合も、軽量床衝撃音は、防音フローリング材７が有している遮音性能に従って低減された後に、捨張り材５と発泡プラスチック系床下地材４を通じて際根太９から内装壁１１に伝達されるので、発泡プラスチック系床下地材４と際根太９とに何らの遮音処置も講じなくても所定の遮音性能を確立できるものであり、遮音床を低コストに施工できるものである。
【００４３】
以上のように、本発明による遮音床の施工法と遮音床は、上記の各実施の形態で説明したように構成されているので、軽量床衝撃音は、遮音床仕上げ材と１２ｍｍ以上の捨張り材とで所望の低減レベルに減衰させることが出来るものであるから、スラブに対する床下地材や接合材の対策や床下地材の際根太に対する遮音処置を優位かつ効率的に実施することを可能にしており、遮音床の施工コストを低減すると共に工期を大幅に短縮できるものである。
【００４４】
以上、本発明を実施の形態に基づいて詳細に説明してきたが、本発明による  遮音床の施工法と遮音床は、上記実施の形態に何ら限定されるものでなく、床スラブの上に配置した床下地材とその上に貼設される捨張り材で支持される遮音床仕上げ材等の材質もしくは具体的な形状に関して、本発明の趣旨を逸脱しない範囲において種々の変更が可能であることは当然である。
【００４５】
【発明の効果】
本発明による遮音床の施工法は、床スラブの上に配置した床下地材の上に捨張り材で支持される遮音床仕上げ材を貼設する遮音床の施工法において、所定剛性値以上の捨張り材に支持させて所望性能の遮音床仕上げ材を貼設することを特徴としているので、床仕上げ材の遮音性能を有効に発揮させることが出来る効果を発揮している。
【００４６】
又、本発明による遮音床は、床スラブの上に配置した床下地材の上に捨張り材で支持される遮音床仕上げ材を貼設する遮音床において、所定剛性値以上の捨張り材と、捨張り材に支持される所望性能の遮音床仕上げ材から成ることを基本にして、捨張り材の剛性値を７．２ｋｇ／ｍ２以上の面密度で確保したり、捨張り材を厚さ１２ｍｍ以上の合板から構成したり、床下地材を間仕切壁に固着された際根太に突き付けることを特徴としているので、床仕上げ材の遮音性能を確立できる効果を発揮している。
【図面の簡単な説明】
【図１】本発明による遮音床の施工法を適用した実施の形態図
【図２】本発明による遮音床における壁際部の断面図
【図３】軽量床衝撃音遮断性能の測定結果図
【図４】本発明による遮音床における壁際部の実施の形態を示す断面図
【図５】従来の遮音床における軽量床衝撃音遮断性能の測定結果図
【符号の説明】
１  遮音床、  ２  スラブ、  ３  接合材、
４  発泡プラスチック系床下地材、    ５    捨張り材、  ６    桟木、
７    緩衝材付木質フローリング材、  ８    壁際部、  ９    際根太、
１０、１８  束、  １１  内装壁、  １２  緩衝層、  １３  際根太、
１４  幅木、  １５    隙間、  １６    開口部、  １７  敷居等、
【図１】
2005054383.tif 000003
【図２】
2005054383.tif 000004
【図３】
2005054383.tif 000005
【図４】
2005054383.tif 000006
【図５】
2005054383.tif 000007